(57)【要約】【課題】紙幣の表裏の向きを揃えるための特別な機構を利用せずとも、少なくとも紙幣の表裏の向きを揃えることが可能な紙幣処理装置を提供する。【解決手段】制御部は、入金部１１０から繰り出された紙幣のうち、識別部１４０により表向きと識別された紙幣を搬送部１３０により第１収納経路部Ｃ１を通じて第１スタッカ一保部１６０ａへ搬送させ、識別部１４０により裏向きと識別された紙幣を搬送部１３０により第１収納経路部Ｃ１および第２収納経路部Ｃ２を通じてカセット一保部１８０へ搬送させる。さらに、制御部は、カセット一保部１８０から繰り出された紙幣を、第３収納経路部および第１収納経路部Ｃ１を通じて第１スタッカ一保部１６０ａへ搬送させる。【選択図】図６
2018206192.tif 000002
【特許請求の範囲】
【請求項１】
紙幣が投入される入金部と、
前記入金部から繰り出された紙幣が収納される第１の収納部および第２の収納部と、
紙幣の向きを識別するための識別部と、
前記入金部、前記第１の収納部および前記第２の収納部の間で紙幣を搬送する搬送部と、
制御部と、を備え、
前記第２の収納部は、紙幣が、当該紙幣の一方の端部側から収納されて前記一方の端部と反対の端部側から繰り出される構成を有し、
前記制御部は、
前記入金部から繰り出された紙幣のうち、前記識別部により表裏の何れか一方の向きと識別された紙幣を前記搬送部により前記第１の収納部へ搬送させ、前記識別部により表裏の何れか他方の向きと識別された紙幣を前記搬送部により前記第２の収納部へ搬送させ、
前記第２の収納部から繰り出された紙幣を前記搬送部により前記第１の収納部へ搬送させる、
ことを特徴とする紙幣処理装置。
【請求項２】
前記搬送部は、
前記入金部と前記第１の収納部との間を結び、前記入金部から繰り出された紙幣が前記第１の収納部へと搬送される第１の経路部と、
前記第１の経路部から分岐して前記第２の収納部に繋がり、前記入金部から繰り出された紙幣が前記第１の経路部から外れて前記第２の収納部へと搬送される第２の経路部と、
前記第２の収納部から延びて前記第１の経路部に合流し、前記第２の収納部から繰り出された紙幣が前記第１の経路部へと搬送される第３の経路部と、を含み、
前記制御部は、
前記入金部から繰り出された紙幣のうち、前記識別部により表裏の何れか一方の向きと識別された紙幣を前記搬送部により前記第１の経路部を通じて前記第１の収納部へ搬送させ、前記識別部により表裏の何れか他方の向きと識別された紙幣を前記搬送部により前記第１の経路部および前記第２の経路部を通じて前記第２の収納部へ搬送させ、
前記第２の収納部から繰り出された紙幣を、前記搬送部により前記第３の経路部および前記第１の経路部を通じて前記第１の収納部へ搬送させる、
ことを特徴とする請求項１に記載の紙幣処理装置。
【請求項３】
紙幣が投出される出金部をさらに備え、
前記制御部は、前記第１の収納部に収納された紙幣を前記搬送部により前記出金部へ搬送させる、
ことを特徴とする請求項１または２に記載の紙幣処理装置。
【請求項４】
前記入金部から繰り出された紙幣が収納される第３の収納部をさらに備え、
前記搬送部は、前記入金部、前記第１の収納部、前記第２の収納部および前記第３の収納部の間で紙幣を搬送するように設けられ、
前記制御部は、
前記表裏の何れか一方の向きと識別された紙幣のうち、前記識別部により天地の何れか一方の向きと識別された第１の紙幣を前記搬送部により前記第１の収納部へ搬送させ、前記識別部により天地の何れか他方の向きと識別された第２の紙幣を前記搬送部により前記第３の収納部へ搬送させ、
前記第２の収納部から繰り出された紙幣の向きを前記識別部に識別させ、前記第１の紙幣と同じ表裏および天地の向きと識別された第３の紙幣を前記搬送部により前記第１の収納部へ搬送させ、前記第２の紙幣と同じ表裏および天地の向きと識別された第４の紙幣を前記搬送部により前記第３の収納部へ搬送させる、
ことを特徴とする請求項１または２に記載の紙幣処理装置。
【請求項５】
前記入金部から繰り出された紙幣が収納される第３の収納部および第４の収納部をさらに備え、
前記第４の収納部は、紙幣が、当該紙幣の一方の端部側から収納されて前記一方の端部と反対の端部側から繰り出される構成を有し、
前記搬送部は、前記入金部、前記第１の収納部、前記第２の収納部、前記第３の収納部および前記第４の収納部の間で紙幣を搬送するように設けられ、
前記制御部は、
前記表裏の何れか一方の向きと識別された紙幣のうち、前記識別部により天地の何れか一方の向きと識別された第１の紙幣を前記搬送部により前記第１の収納部へ搬送させ、前記識別部により天地の何れか他方の向きと識別された第２の紙幣を前記搬送部により前記第３の収納部へ搬送させ、
前記表裏の何れか他方の向きと識別された紙幣のうち、前記識別部により天地の何れか一方の向きと識別された第３の紙幣を前記搬送部により前記第２の収納部へ搬送させ、前記識別部により天地の何れか他方の向きと識別された第４の紙幣を前記搬送部により前記第４の収納部へ搬送させ、
前記第２の収納部から繰り出された前記第３の紙幣を前記搬送部により前記第１の収納部へ搬送させ、前記第４の収納部から繰り出された前記第４の紙幣を前記搬送部により前記第３の収納部へ搬送させる、
ことを特徴とする請求項１または２に記載の紙幣処理装置。
【請求項６】
紙幣が投出される出金部をさらに備え、
前記制御部は、前記第１の収納部に収納された紙幣を前記搬送部により前記出金部へ搬送させ、前記第１の収納部から前記出金部への紙幣の搬送が完了した後に、前記第３の収納部に収納された紙幣を前記搬送部により前記出金部へ搬送させる、
ことを特徴とする請求項４または５に記載の紙幣処理装置。
【請求項７】
前記出金部内の紙幣の有無を検出する紙幣検出部を、さらに備え、
前記制御部は、前記第１の収納部からの紙幣が前記出金部内から無くなったことが前記紙幣検出部により検出されると、前記第３の収納部に収納された紙幣を前記搬送部により前記出金部へ搬送させる、
ことを特徴とする請求項６に記載の紙幣処理装置。
【請求項８】
紙幣の搬送を指示するための搬送指示部を、さらに備え、
前記制御部は、前記搬送指示部により紙幣の搬送が指示されると、前記第３の収納部に収納された紙幣を前記搬送部により前記出金部へ搬送させる、
ことを特徴とする請求項６に記載の紙幣処理装置。
【請求項９】
報知部を、さらに備え
前記制御部は、前記第１の収納部からの紙幣の前記出金部からの抜き取りを促す報知を前記報知部に行わせる、
ことを特徴とする請求項６ないし８の何れか一項に記載の紙幣処理装置。
【発明の詳細な説明】
【技術分野】
【０００１】
本発明は、紙幣の入出金等を行う紙幣処理装置に関する。
【背景技術】
【０００２】
顧客に支払われる紙幣の束や所定枚数となるよう整理された紙幣の束において、各紙幣の表裏および天地の向きが揃っていると、見栄えが良い上に取り扱いやすい。そこで、特許文献１には、収納部から出金された紙幣の表裏および天地の向きを識別部で識別し、紙幣の表裏の向きを表裏取揃部で揃えた後に、天地が一方向を向く紙幣と天地が一方向とは逆方向を向く紙幣とを振り分け、振り分けられた各紙幣を、入出金口と入金リジェクト口とから払い出すようにした紙幣処理機が記載されている。表裏取揃部は、紙幣の表裏を反転させる表裏反転部を含む。
【０００３】
かかる紙幣処理機では、係員が入出金口から取り出した紙幣の束と、入金リジェクト口から取り出した紙幣の束とを天地の向きを合わせるようにして重ねることで、紙幣処理機から出金された全ての紙幣の表裏および天地の向きを揃えることができる。
【先行技術文献】
【特許文献】
【０００４】
【特許文献１】特開２０１５−４１１３３号公報
【発明の概要】
【発明が解決しようとする課題】
【０００５】
上記の紙幣処理機のように、紙幣を搬送する紙幣搬送路に表裏取揃部に設けられる構成の場合、紙幣の表裏の向きを一度期に揃えることができる反面、表裏取揃部、特に表裏反転部に不具合が発生した場合、紙幣の表裏を揃えることができない虞がある。また、表裏取揃部が設けられる分、紙幣搬送路、即ち機器本体のサイズ増加や機器のコスト増加につながりやすい。
【０００６】
かかる課題に鑑み、本発明は、紙幣の表裏の向きを揃えるための特別な機構を利用せずとも、少なくとも紙幣の表裏の向きを揃えることが可能な紙幣処理装置を提供することを目的とする。
【課題を解決するための手段】
【０００７】
本発明の主たる態様に係る紙幣処理装置は、紙幣が投入される入金部と、前記入金部から繰り出された紙幣が収納される第１の収納部および第２の収納部と、紙幣の向きを識別するための識別部と、前記入金部、前記第１の収納部および前記第２の収納部の間で紙幣を搬送する搬送部と、制御部と、を備える。ここで、前記第２の収納部は、紙幣が、当該紙幣の一方の端部側から収納されて前記一方の端部と反対の端部側から繰り出される構成を有する。前記制御部は、前記入金部から繰り出された紙幣のうち、前記識別部により表裏の何れか一方の向きと識別された紙幣を前記搬送部により前記第１の収納部へ搬送させ、前記識別部により表裏の何れか他方の向きと識別された紙幣を前記搬送部により前記第２の収納部へ搬送させる。さらに、前記制御部は、前記第２の収納部から繰り出された紙幣を前記搬送部により前記第１の収納部へ搬送させる。
【０００８】
上記の構成によれば、入金部に投入された紙幣のうち、識別部で表向き（または裏向き）と識別された紙幣を第１の収納部へ搬送し、識別部で裏向き（または表向き）と識別された紙幣を、その表裏の向きを反転させた後に第１の収納部へ搬送することで、表裏の向きが揃った紙幣を第１の収納部に収納できる。しかも、裏向き（または表向き）と識別された紙幣を、第２の収納部に対して出し入れすることで生じるスイッチバック作用を利用して表裏の向きを反転させるようにしたので、紙幣の表裏の向きを揃えるための特別な機構を利用せずとも、紙幣の表裏の向きを揃えることができる。
【０００９】
本態様に係る紙幣処理装置において、前記搬送部は、前記入金部と前記第１の収納部との間を結び、前記入金部から繰り出された紙幣が前記第１の収納部へと搬送される第１の経路部と、前記第１の経路部から分岐して前記第２の収納部に繋がり、前記入金部から繰り出された紙幣が前記第１の経路部から外れて前記第２の収納部へと搬送される第２の経路部と、前記第２の収納部から延びて前記第１の経路部に合流し、前記第２の収納部から繰り出された紙幣が前記第１の経路部へと搬送される第３の経路部と、を含むような構成とされ得る。この場合、前記制御部は、前記入金部から繰り出された紙幣のうち、前記識別部により表裏の何れか一方の向きと識別された紙幣を前記搬送部により前記第１の経路部を通じて前記第１の収納部へ搬送させ、前記識別部により表裏の何れか他方の向きと識別された紙幣を前記搬送部により前記第１の経路部および前記第２の経路部を通じて前記第２の収納部へ搬送させる。さらに、前記制御部は、前記第２の収納部から繰り出された紙幣を、前記搬送部により前記第３の経路部および前記第１の経路部を通じて前記第１の収納部へ搬送させる。
【００１０】
上記の構成によれば、裏向き（または表向き）と識別された紙幣を、第２の経路部および第３の経路部を通じて第１の経路部と第２の収納部との間で往復させ、その際に生じるスイッチバック作用を利用して表裏の向きを反転させることができ、紙幣の表裏の向きを揃えるための特別な機構を利用せずとも、紙幣の表裏の向きを揃えることができる。
【００１１】
本態様に係る紙幣処理装置において、紙幣が投出される出金部をさらに備える構成が採られ得る。この場合、前記制御部は、前記第１の収納部に収納された紙幣を前記搬送部により前記出金部へ搬送させる。
【００１２】
上記の構成によれば、表裏の向きが揃った紙幣を出金部に投出させることができる。
【００１３】
本態様に係る紙幣処理装置において、前記入金部から繰り出された紙幣が収納される第３の収納部をさらに備え、前記搬送部が、前記入金部、前記第１の収納部、前記第２の収納部および前記第３の収納部の間で紙幣を搬送するように設けられる構成が採られ得る。この場合、前記制御部は、前記表裏の何れか一方の向きと識別された紙幣のうち、前記識別部により天地の何れか一方の向きと識別された第１の紙幣を前記搬送部により前記第１の収納部へ搬送させ、前記識別部により天地の何れか他方の向きと識別された第２の紙幣を前記搬送部により前記第３の収納部へ搬送させる。さらに、前記制御部は、前記第２の収納部から繰り出された紙幣の向きを前記識別部に識別させ、前記第１の紙幣と同じ表裏および天地の向きと識別された第３の紙幣を前記搬送部により前記第１の収納部へ搬送させ、前記第２の紙幣と同じ表裏および天地の向きと識別された第４の紙幣を前記搬送部により前記第３の収納部へ搬送させる。
【００１４】
あるいは、本態様に係る紙幣処理装置において、前記入金部から繰り出された紙幣が収納される第３の収納部および第４の収納部をさらに備え、前記第４の収納部は、紙幣が、当該紙幣の一方の端部側から収納されて前記一方の端部と反対の端部側から繰り出される構成を有し、前記搬送部は、前記入金部、前記第１の収納部、前記第２の収納部、前記第３の収納部および前記第４の収納部の間で紙幣を搬送するように設けられる構成が採られ得る。この場合、前記制御部は、前記表裏の何れか一方の向きと識別された紙幣のうち、前記識別部により天地の何れか一方の向きと識別された第１の紙幣を前記搬送部により前記第１の収納部へ搬送させ、前記識別部により天地の何れか他方の向きと識別された第２の紙幣を前記搬送部により前記第３の収納部へ搬送させる。また、前記制御部は、前記表裏の何れか他方の向きと識別された紙幣のうち、前記識別部により天地の何れか一方の向きと識別された第３の紙幣を前記搬送部により前記第２の収納部へ搬送させ、前記識別部により天地の何れか他方の向きと識別された第４の紙幣を前記搬送部により前記第４の収納部へ搬送させる。さらに、前記制御部は、前記第２の収納部から繰り出された前記第３の紙幣を前記搬送部により前記第１の収納部へ搬送させ、前記第４の収納部から繰り出された前記第４の紙幣を前記搬送部により前記第３の収納部へ搬送させる。
【００１５】
これらの構成によれば、識別部で表向き（または裏向き）と識別された紙幣を、その天地の向きにより第１の収納部と第３の収納部に振り分けて収納し、識別部で裏向き（または表向き）と識別された紙幣を、上記スイッチバック作用によってその表裏の向きを反転させた後、その天地の向きにより第１の収納部と第３の収納部に振り分けて収納することで、表裏および天地の向きが揃った紙幣を第１の収納部および第３の収納部に収納できる。
【００１６】
しかも、前者の構成によれば、裏向き（または表向き）と識別された紙幣を、その天地の向きにより振り分けずに第２の収納部に収納し、第２の収納部から繰り出されて表裏の向きが反転した紙幣を、識別部で識別して天地の向きにより第１の収納部と第３の収納部とに振り分けるようにしたので、表裏の向きの反転に利用するために必要な収納部が第２の収容部１つで済む。
【００１７】
一方、後者の構成によれば、裏向き（または表向き）と識別された紙幣を、その天地の向きにより、第２の収納部と第４の収納部とに振り分けるようにしたので、第２の収納部および第４の収納部から繰り出された紙幣を第１の収納部および第３の収納部へ搬送する際に、識別部で紙幣の天地の向きを識別しなくてよい。
【００１８】
上記何れかの構成とされた場合、紙幣が投出される出金部をさらに備える構成が採られ得る。この場合、前記制御部は、前記第１の収納部に収納された紙幣を前記搬送部により前記出金部へ搬送させ、前記第１の収納部から前記出金部への紙幣の搬送が完了した後に、前記第３の収納部に収納された紙幣を前記搬送部により前記出金部へ搬送させる。
【００１９】
このような構成とされると、出金部に投出された第１の収納部からの紙幣と第２の収納部からの紙幣とを、その表裏および天地の向きが同じになるように重ね合せるだけで、容易に表裏および天地の向きが揃った紙幣を得ることができる。
【００２０】
上記の構成とされた場合、前記出金部内の紙幣の有無を検出する紙幣検出部を、さらに備える構成が採られ得る。この場合、前記制御部は、前記第１の収納部からの紙幣が前記出金部内から無くなったことが前記紙幣検出部により検出されると、前記第３の収納部に収納された紙幣を前記搬送部により前記出金部へ搬送させる。
【００２１】
あるいは、上記の構成とされた場合、紙幣の搬送を指示するための搬送指示部を、さらに備える構成が採られ得る。この場合、前記制御部は、前記搬送指示部により紙幣の搬送が指示されると、前記第３の収納部に収納された紙幣を前記搬送部により前記出金部へ搬送させる。
【００２２】
これらの構成とされると、第１の収納部からの紙幣が出金部に残った状態で第３の収納部からの紙幣が出金部へ投出されてしまうことが防止される。
【００２３】
上記の構成とされた場合、報知部を、さらに備える構成が採られ得る。この場合、前記制御部は、前記第１の収納部からの紙幣の前記出金部からの抜き取りを促す報知を前記報知部に行わせる。
【００２４】
このような構成とされると、第１の収納部からの紙幣を、円滑に出金部から抜き取ることができる。
【発明の効果】
【００２５】
本発明によれば、紙幣の表裏の向きを揃えるための特別な機構を利用せずとも、少なくとも紙幣の表裏の向きを揃えることが可能な紙幣処理装置を提供することができる。
【００２６】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２７】
【図１】図１は、実施形態に係る、貨幣入出金機の構成を示す概略図である。
【図２】図２（ａ）ないし（ｄ）は、実施形態に係る、搬送部を流れる紙幣の向きについて説明するための図である。
【図３】図３は、実施形態に係る、貨幣入出金機の主たる構成を示すブロック図である。
【図４】図４は、実施形態に係る、表裏揃え計数整理処理の制御動作を示すフローチャートである。
【図５】図５は、実施形態に係る、表裏揃え計数整理処理の制御動作を示すフローチャートである。
【図６】図６（ａ）は、実施形態に係る、入金部から繰り出され、表向きと識別された紙幣の流れを示す図であり、図６（ｂ）は、実施形態に係る、入金部から繰り出され、裏向きと識別された紙幣の流れを示す図である。
【図７】図７（ａ）は、実施形態に係る、カセット一保部から第１スタッカ一保部への紙幣の流れを示す図であり、図７（ｂ）は、実施形態に係る、第１スタッカ一保部から出金部への紙幣の流れを示す図である。
【図８】図８は、実施形態に係る、操作表示部に表示される抜き取り催促画面の一例を示す図である。
【図９】図９は、実施形態に係る、表裏天地揃え計数整理処理の制御動作を示すフローチャートである。
【図１０】図１０は、実施形態に係る、表裏天地揃え計数整理処理の制御動作を示すフローチャートである。
【図１１】図１１（ａ）は、実施形態に係る、入金部から繰り出され、天表向きと識別された紙幣の流れを示す図であり、図１１（ｂ）は、実施形態に係る、入金部から繰り出され、地表向きと識別された紙幣の流れを示す図である。
【図１２】図１２は、実施形態に係る、入金部から繰り出され、天裏向きまたは地裏向きと識別された紙幣の流れを示す図である。
【図１３】図１３（ａ）は、実施形態に係る、カセット一保部から繰り出され、天表向きと識別された紙幣の流れを示す図であり、図１３（ｂ）は、実施形態に係る、カセット一保部から繰り出され、地表向きと識別された紙幣の流れを示す図である。
【図１４】図１４（ａ）は、実施形態に係る、第１スタッカ一保部から出金部への紙幣の流れを示す図であり、図１４（ｂ）は、実施形態に係る、第２スタッカ一保部から出金部への紙幣の流れを示す図である。
【図１５】図１５は、変更例１に係る、貨幣入出金機の構成を示す概略図である。
【図１６】図１６は、変更例１に係る、表裏天地揃え計数整理処理の制御動作を示すフローチャートである。
【図１７】図１７は、変更例１に係る、表裏天地揃え計数整理処理の制御動作を示すフローチャートである。
【図１８】図１８（ａ）は、変更例１に係る、入金部から繰り出され、天裏向きと識別された紙幣の流れを示す図であり、図１８（ｂ）は、変更例１に係る、入金部から繰り出され、地裏向きと識別された紙幣の流れを示す図である。
【図１９】図１９（ａ）は、変更例１に係る、第１カセット一保部から第１スタッカ一保部への紙幣の流れを示す図であり、図１９（ｂ）は、変更例１に係る、第２カセット一保部から第２スタッカ一保部への紙幣の流れを示す図である。
【図２０】図２０は、その他の変更例に係る、貨幣入出金機について説明するための図である。
【発明を実施するための形態】
【００２８】
以下、本発明の紙幣処理装置の一実施形態である貨幣入出金機１について、図面を参照して説明する。
【００２９】
本実施形態において、操作表示部１５が、特許請求の範囲に記載の「報知部」に対応する。また、第１スタッカ用一時保留部１６０ａおよび第２スタッカ用一時保留部１６０ｂが、それぞれ、特許請求の範囲に記載の「第１の収納部」および「第３の収納部」に対応する。さらに、カセット用一時保留部１８０が、特許請求の範囲に記載の「第２の収納部」に対応する。さらに、第１収納経路部Ｃ１、第２収納経路部Ｃ２および第３収納経路部Ｃ３が、それぞれ、特許請求の範囲に記載の「第１の経路部」、「第２の経路部」および「第３の経路部」に対応する。
【００３０】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３１】
＜貨幣入出金機の構成＞
図１は、本実施形態に係る、貨幣入出金機１の構成を示す概略図である。図２（ａ）ないし（ｄ）は、本実施形態に係る、搬送部１３０を流れる紙幣の向きについて説明するための図である。
【００３２】
貨幣入出金機１は、銀行等の窓口カウンタの内側に設置され、貨幣の入出金業務を行うテラーにより使用される。
【００３３】
貨幣入出金機１は、外郭を構成する筐体１０内に、紙幣の入金処理、出金処理等を行う紙幣入出金ユニット１１を備える。筐体１０は、前面が開口する本体部１０ａと、本体部１０ａの前面開口を覆う前面パネル１０ｂとを含む。紙幣入出金ユニット１１は、前面パネル１０ｂの後方に、前面パネル１０ｂと一体的に設けられる。紙幣の補充やエラー解除の際、前面パネル１０ｂを前方に移動させることにより、紙幣入出金ユニット１１を、本体部１０ａに対して前方に引き出し、外部に露出させることができる。
【００３４】
紙幣入出金ユニット１１は、入金部１１０と、出金部１２０と、搬送部１３０と、識別部１４０と、２つのスタッカ１５０と、２つのスタッカ用一時保留部（以下、「スタッカ一保部」と略す）１６０と、カセット１７０と、カセット用一時保留部（以下、「カセット一保部）と略す）１８０と、リジェクトボックス１９０とを備える。筐体１０の内部において、前側に配置されたスタッカ１５０およびスタッカ用一時保留部１６０が、それぞれ、第１スタッカ１５０ａおよび第１スタッカ用一時保留部（以下、「第１スタッカ一保部」と略す）１６０ａとなり、後側に配置されたスタッカ１５０およびスタッカ用一時保留部１６０が、それぞれ、第２スタッカ１５０ｂおよび第２スタッカ用一時保留部（以下、「第２スタッカ一保部」と略す）１６０ｂとなる。
【００３５】
入金部１１０および出金部１２０は、筐体１０内の上部の正面近傍に設けられる。入金部１１０は、筐体１０の正面に設けられる入金口１１０ａを含む。入金口１１０ａは、シャッター１１１で開閉され、入金口１１０ａを通じて入金部１１０に紙幣が投入される。投入された紙幣は、図示しない繰出機構によって、一枚ずつ入金部１１０から搬送部１３０へ繰り出される。
【００３６】
出金部１２０は、筐体１０の正面に設けられる出金口１２０ａを含む。出金口１２０ａは、シャッター１２１で開閉され、出金口１２０ａを通じて出金部１２０から紙幣が取り出される。出金部１２０には、主に、スタッカ１５０から繰り出された紙幣や、入金部１１０から繰り出された紙幣のうち、識別部１４０により属性（真偽、金種等）が識別できず、正常な紙幣と見做されなかった紙幣が投出される。投出された紙幣は、図示しない移動機構により、出金口１２０ａの近傍まで移送される。
【００３７】
出金部１２０には、出金口１２０ａの近傍に、出金部１２０内の紙幣の有無を検出するための紙幣検出部１２２が設けられる。紙幣検出部１２２は、発光素子１２２ａと受光素子１２２ｂとを含む。出金部１２０内に紙幣が存在すると、発光素子１２２ａからの光が紙幣に遮られ、受光素子１２２ｂに到達しない。これにより、紙幣検出部１２２は、出金部１２０内に紙幣が存在することを検出する。一方、出金部１２０内に紙幣が存在しないと、発光素子１２２ａからの光が出金部１２０内を通過し、受光素子１２２ｂに到達する。これにより、紙幣検出部１２２は、出金部１２０内に紙幣が存在しないことを検出する。紙幣検出部１２２は、紙幣の有無に応じた検出信号を後述する制御部に出力する。なお、紙幣検出部１２２は、発光素子１２２ａおよび受光素子１２２ｂからなる構成以外の構成、たとえば、重量センサを備える構成などにより、紙幣を検出するもであってもよい。
【００３８】
搬送部１３０は、ベルト機構、ローラー機構等により構成され、メイン搬送路１３１と、入金搬送路１３２と、スタッカ搬送路１３３と、カセット搬送路１３４と、出金搬送路１３５と、リジェクト搬送路１３６とを含む。メイン搬送路１３１は、ループ状に形成され、図１において、反時計回り方向（実線矢印）と時計回り方向（破線矢印）の双方向に紙幣を搬送することが可能である。メイン搬送路１３１は、入金部１１０からスタッカ１５０およびカセット１７０やスタッカ一保部１６０およびカセット一保部１８０への紙幣を収納する際、あるいは、カセット１７０やカセット一保部１８０からスタッカ１５０やスタッカ一保部１６０への紙幣を収納する際に反時計回り方向に移動し、スタッカ１５０やスタッカ一保部１６０から出金部１２０へ紙幣を投出する際に時計回り方向に移動する。
【００３９】
入金搬送路１３２は、入金部１１０とメイン搬送路１３１との間を結ぶように設けられ、入金部１１０からメイン搬送路１３１へ紙幣を搬送することが可能である。スタッカ搬送路１３３は、メイン搬送路１３１と２つのスタッカ一保部１６０との間を結ぶように設けられ、これらの間で双方向に紙幣を搬送することが可能である。スタッカ搬送路１３３は、その途中において第１スタッカ一保部１６０ａへの搬送路と第２スタッカ一保部１６０ｂへ搬送路に分岐する。カセット搬送路１３４は、メイン搬送路１３１とカセット一保部１８０との間を結ぶように設けられ、これらの間で双方向に紙幣を搬送することが可能である。出金搬送路１３５は、メイン搬送路１３１と出金部１２０との間を結ぶように設けられ、メイン搬送路１３１から出金部１２０へ紙幣を搬送することが可能である。出金搬送路１３５は、メイン搬送路１３１側の一部の搬送路をカセット搬送路１３４との間で共有する。リジェクト搬送路１３６は、メイン搬送路１３１とリジェクトボックス１９０との間を結ぶように設けられ、メイン搬送路１３１からリジェクトボックス１９０へ紙幣を搬送することが可能である。
【００４０】
識別部１４０は、メイン搬送路１３１上において、入金搬送路１３２から搬入された紙幣がスタッカ搬送路１３３へ搬出されるまでの間の位置に設けられる。識別部１４０は、搬送部１３０を流れる紙幣の属性として、紙幣の真偽および金種を識別する。また、識別部１４０は、紙幣の属性として、紙幣の表裏の向きおよび天地の向きを識別する。
【００４１】
長方形である紙幣は、その短手方向（天地方向）が、搬送方向を向くようにして搬送部１３０に搬送される場合と、その長手方向（左右方向）が、搬送方向を向くようにして搬送部１３０に搬送される場合とがある。本実施形態では、紙幣は、その長手方向（左右方向）が挿入方向となるように入金口１１０ａに挿入されて入金部１１０に投入される。よって、入金部１１０から繰り出された紙幣は、その長手方向が搬送方向を向くようにして搬送部１３０を流れ、図２（ａ）ないし（ｄ）に示す４通りの向きの形態をとり得る。本実施形態では、説明の便宜上、入金部１１０やカセット一保部１８０等からスタッカ一保部１６０等へ向けて搬送部１３０を流れる紙幣を識別部１４０の位置において搬送部１３０の正面から見たとき、図２（ａ）のように、紙幣に描かれた肖像の頭が向く天方向が搬送方向に向かって右方向を向き且つ表を向く紙幣の向きを「天表向き」と定義し、図２（ｂ）のように、天方向と反対の地方向が搬送方向に向かって右方向を向き且つ表を向く紙幣の向きを「地表向き」と定義し、図２（ｃ）のように、天方向が搬送方向に向かって右方向を向き且つ裏を向く紙幣の向きを「天裏向き」と定義し、図２（ｄ）のように、地方向が搬送方向に向かって右方向を向き且つ裏を向く紙幣の向きを「地裏向き」と定義する。
【００４２】
２つのスタッカ１５０（第１スタッカ１５０ａおよび第２スタッカ１５０ｂ）は、筐体１０内の下部に、前後に並ぶように設けられる。スタッカ１５０は、入金された紙幣を金種別に収納するために利用される。たとえば、前側の第１スタッカ１５０ａに一万円の金種が割り当てられ、後側の第２スタッカ１５０ｂに千円の金種が割り当てられ得る。スタッカ１５０内には、紙幣が上下に積まれるように収納される。収納された紙幣を昇降するため、スタッカ１５０内に昇降ステージ１５１が設けられる。
【００４３】
スタッカ一保部１６０（第１スタッカ一保部１６０ａおよび第２スタッカ一保部１６０ｂ）は、スタッカ１５０（第１スタッカ１５０ａおよび第２スタッカ１５０ｂ）の上方に配置される。スタッカ一保部１６０は、スタッカ１５０に収納される紙幣を一時的に保留（収納）する。スタッカ一保部１６０の一側面の上部にはスタッカ搬送路１３３に繋がる紙幣の出入口１６１が設けられ、スタッカ一保部１６０内の上部には移送ベルト１６２ａを含む移送機構１６２が設けられる。スタッカ搬送路１３３で出入口１６１まで搬送された紙幣は、移送機構１６２によって水平に移動されて、その長手方向側の一端部からスタッカ一保部１６０内に取り込まれ、上下に積まれた状態で収納される。スタッカ一保部１６０内に収納された紙幣は、上側の紙幣から順に移送機構１６２によって水平に出入口１６１へと移動され、一端部と反対側の他端部からスタッカ搬送路１３３へと繰り出される。
【００４４】
カセット１７０は、筐体１０内において、第１スタッカ１５０ａおよび第１スタッカ一保部１６０ａの上方に配置される。また、カセット１７０と第１スタッカ一保部１６０ａとの間にリジェクトボックス１９０が配置される。
【００４５】
カセット１７０は、紙幣入出金ユニット１１本体から着脱可能である。カセット１７０は、主に、スタッカ１５０内に紙幣を最初に充填する際、充填される紙幣が最初に収納される収納部として利用される。また、カセット１７０は、５千円券、２千円券等の収納にも利用される。カセット１７０内には、紙幣が上下に積まれるように収納される。収納された紙幣を昇降するため、カセット１７０内に昇降ステージ１７１が設けられる。
【００４６】
カセット一保部１８０は、カセット１７０の上方に配置される。カセット一保部１８０は、カセット１７０に収納される紙幣を一時的に保留（収納）する。カセット一保部１８０の一側面の上部にはカセット搬送路１３４に繋がる紙幣の出入口１８１が設けられ、カセット一保部１８０内の上部には移送ベルト１８２ａを含む移送機構１８２が設けられる。カセット搬送路１３４で出入口１８１まで搬送された紙幣は、移送機構１８２によって水平に移動されて、その長手方向側の一端部からカセット一保部１８０内に取り込まれ、上下に積まれた状態で収納される。カセット一保部１８０内に収納された紙幣は、上側の紙幣から順に移送機構１８２によって水平に出入口１８１へと移動され、一端部と反対側の他端部からカセット搬送路１３４へと繰り出される。
【００４７】
リジェクトボックス１９０は、筐体１０の正面から引出自在に設けられる。リジェクトボックス１９０には、主に、出金時にスタッカ１５０から繰り出され識別部１４０で識別された結果、金種等の属性が識別できなかったリジェクト紙幣が収納される。リジェクトボックス１９０を筐体１０から引き出すことにより、リジェクト紙幣を回収できる。
【００４８】
図３は、本実施形態に係る、貨幣入出金機１の主たる構成を示すブロック図である。
【００４９】
貨幣入出金機１は、上述した紙幣入出金ユニット１１の他、硬貨入出金ユニット１２、制御部１３、記憶部１４および操作表示部１５を備える。
【００５０】
硬貨入出金ユニット１２は、図１には図示されていないが、筐体１０内において、紙幣入出金ユニット１１の側方に設けられ、硬貨の入金処理、出金処理等を行う。
【００５１】
制御部１３は、ＣＰＵ（Central Processing Unit）等の演算回路を備え、記憶部１４に記憶された動作プログラムに従って、操作表示部１５、紙幣入出金ユニット１１の各構成部（入金部１１０、出金部１２０、搬送部１３０、識別部１４０、スタッカ１５０、スタッカ一保部１６０、カセット１７０、カセット一保部１８０、リジェクトボックス１９０等）および硬貨入出金ユニット１２の各構成部を制御する。記憶部１４は、ＲＯＭ（Read Only Memory）、ＲＡＭ（Random Access Memory）やハードディスク等の記憶媒体を備え、制御部１３の動作プログラムを記憶し、また、制御部１３の制御処理の際にワーク領域として利用される。
【００５２】
操作表示部１５は、ディスプレイとタッチセンサとからなるタッチパネルで構成される。操作表示部１５は、ディスプレイに各種の画像（画面）を表示するとともに、ディスプレイに対するユーザのタッチ操作をタッチセンサにより検出する。操作表示部１５は、たとえば、筐体１０の上面の前端部に設けられる。
【００５３】
本実施形態の貨幣入出金機１において、入金処理の際には、所定の入金操作に基づいて、入金部１１０に投入された紙幣が搬送部１３０に繰り出される。繰り出された紙幣は、搬送部１３０により搬送されつつ識別部１４０により真偽や金種が識別され、金種に割り当てられたスタッカ１５０またはカセット１７０の上方のスタッカ一保部１６０またはカセット一保部１８０に収納される。この際、スタッカ１５０が割り当てられた金種の紙幣は、入金搬送路１３２、メイン搬送路１３１（反時計回り方向に動作）およびスタッカ搬送路１３３を搬送されてスタッカ一保部１６０へと至り、カセット１７０が割り当てられた金種の紙幣は、入金搬送路１３２、メイン搬送路１３１（反時計回り方向に動作）およびカセット搬送路１３４を搬送されてカセット一保部１８０へと至る。スタッカ一保部１６０またはカセット一保部１８０に紙幣が収納された後に、テラーによる承認操作がなされると、スタッカ一保部１６０またはカセット一保部１８０に収納された紙幣が、その下方のスタッカ１５０またはカセット１７０に収納される。
【００５４】
出金処理の際には、所定の出金操作に基づいて、出金額に応じた金種の紙幣が、その金種に割り当てられたスタッカ１５０またはカセット１７０からスタッカ一保部１６０またはカセット一保部１８０を通じて搬送部１３０に繰り出される。繰り出された紙幣は、搬送部１３０により搬送され、識別部１４０により真偽や金種が識別された後、出金部１２０に投出される。この際、スタッカ１５０から繰り出された紙幣は、スタッカ搬送路１３３、メイン搬送路１３１（時計回り方向に動作）および出金搬送路１３５を搬送されて出金部１２０へと至り、カセット１７０から繰り出された紙幣は、カセット搬送路１３４、メイン搬送路１３１（時計回り方向に動作）および出金搬送路１３５を搬送されて出金部１２０へと至る。なお、出金搬送路１３５は、カセット搬送路１３４と一部の搬送路を共有しているため、カセット１７０では、先に送り出された紙幣が、メイン搬送路１３１を経由して出金搬送路１３５の共有部分を通過した後に、新たな紙幣がカセット搬送路１３４へ送り出されることになる。
【００５５】
＜計数整理処理＞
本実施形態の貨幣入出金機１では、入金処理および出金処理の他、表裏揃え計数整理処理と表裏天地揃え計数整理処理の２種類の計数整理処理を行うことができる。表裏揃え計数整理処理は、所定金種の複数枚の紙幣を、表裏の向きが揃った所定の整理枚数（たとえば、１００枚）の束とするために行われる処理である。表裏天地揃え計数整理処理は、所定金種の複数枚の紙幣を、表裏および天地の向きが揃った所定の整理枚数（たとえば、１００枚）の束とするために行われる処理である。テラー（係員）は、たとえば、操作表示部１５に表示される所定の選択実行画面での操作により、表裏揃え計数整理処理および表裏天地揃え計数整理処理の何れかを選択し実行させることができる。
【００５６】
まず、表裏揃え計数整理処理について、図４ないし図８を参照して説明する。図４および図５は、本実施形態に係る、表裏揃え計数整理処理の制御動作を示すフローチャートである。図６（ａ）は、本実施形態に係る、入金部１１０から繰り出され、表向きと識別された紙幣の流れを示す図であり、図６（ｂ）は、本実施形態に係る、入金部１１０から繰り出され、裏向きと識別された紙幣の流れを示す図である。図７（ａ）は、本実施形態に係る、カセット一保部１８０から第１スタッカ一保部１６０ａへの紙幣の流れを示す図であり、図７（ｂ）は、本実施形態に係る、第１スタッカ一保部１６０ａから出金部１２０への紙幣の流れを示す図である。図８は、本実施形態に係る、操作表示部１５に表示される抜き取り催促画面Ｓ１の一例を示す図である。
【００５７】
係員（テラー）により、整理する紙幣が入金部１１０に投入された後、表裏揃え計数整理処理のための操作が行われると、表裏揃え計数整理処理が開始される。
【００５８】
図４および図５を参照して、制御部１３は、入金部１１０から一枚ずつ紙幣を繰り出させて搬送部１３０に搬送させ（Ｓ１０１）、搬送部１３０を流れる紙幣の属性（金種、表裏の向き等）を識別部１４０により識別する（Ｓ１０２）。制御部１３の内部には、紙幣の枚数をカウントするためのカウンタが備えられる。制御部１３は、紙幣の属性を識別すると、カウンタのカウント値を１つアップする（Ｓ１０３）。
【００５９】
次に、制御部１３は、識別部１４０での識別結果に基づいて、紙幣の向きが、表向き裏向きの何れであるかを判定する（Ｓ１０４）。図２（ａ）および（ｂ）のように、紙幣の向きが表向きである場合（Ｓ１０４：表向き）、制御部１３は、搬送部１３０により、その紙幣を第１スタッカ一保部１６０ａへ搬送させる（Ｓ１０５）。一方、図２（ｃ）および（ｄ）のように、紙幣の向きが裏向きである場合（Ｓ１０４：裏向き）、制御部１３は、搬送部１３０により、その紙幣をカセット一保部１８０へ搬送させる（Ｓ１０６）。
【００６０】
なお、制御部１３は、紙幣の属性を識別した結果、正常でないと識別された紙幣を、カウンタでカウントせずに、リジェクト紙幣として、搬送部１３０により出金部１２０へ搬送する。これにより、リジェクト紙幣が出金部１２０に投出される。この点は、後に説明する表裏天地揃え計数整理処理においても同様である。
【００６１】
制御部１３は、第１スタッカ一保部１６０ａおよびカセット一保部１８０に収納した合計の紙幣の枚数が整理枚数に達したか否か、および、入金部１１０から全ての紙幣が繰り出されたか否かを判定する（Ｓ１０７、Ｓ１０８）。通常、入金部１１０には、整理枚数より多くの枚数の紙幣が投入される。よって、最初のうちは全ての紙幣が繰り出される前に整理枚数に到達する。そして、最後に整理枚数に満たない紙幣が残り、それらの紙幣が繰り出された場合には、整理枚数に到達する前に全ての紙幣が繰り出される。紙幣の枚数が整理枚数に達すると（Ｓ１０７：ＹＥＳ）、制御部１３は、入金部１１０からの紙幣の繰り出しを停止する（Ｓ１０９）。
【００６２】
こうして、入金部１１０から繰り出された整理枚数分の紙幣のうち、識別部１４０で表向きと識別された紙幣は、図６（ａ）に示すように、搬送部１３０により第１収納経路部Ｃ１を通じて第１スタッカ一保部１６０ａへ搬送され、第１スタッカ一保部１６０ａに収納される。第１収納経路部Ｃ１は、入金搬送路１３２と、メイン搬送路１３１の一部とスタッカ搬送路１３３とで構成され、入金部１１０と第１スタッカ一保部１６０ａおよび第２スタッカ一保部１６０ｂとを結ぶ。
【００６３】
一方、入金部１１０から繰り出された整理枚数分の紙幣のうち、識別部１４０で裏向きと識別された紙幣は、図６（ｂ）に示すように、搬送部１３０により第１収納経路部Ｃ１および第２収納経路部Ｃ２を通じてカセット一保部１８０へ搬送され、カセット一保部１８０に収納される。第２収納経路部Ｃ２は、メイン搬送路１３１の一部とカセット搬送路１３４とで構成され、識別部１４０と第１スタッカ一保部１６０ａとの間の位置において第１収納経路部Ｃ１から分岐し、カセット一保部１８０に繋がる。
【００６４】
入金部１１０からの紙幣の繰り出しを停止すると（Ｓ１０９）、あるいは、入金部１１０から全ての紙幣が繰り出されると（Ｓ１０８：ＹＥＳ）、制御部１３は、カセット一保部１８０内の紙幣を一枚ずつ繰り出し（Ｓ１１０）、繰り出した紙幣を、搬送部１３０により第１スタッカ一保部１６０ａへ搬送させる（Ｓ１１１）。図７（ａ）に示すように、カセット一保部１８０から繰り出された紙幣は、搬送部１３０により第３収納経路部Ｃ３および第１収納経路部Ｃ１を通じて第１スタッカ一保部１６０ａへ搬送され、第１スタッカ一保部１６０ａに収納される。第３収納経路部Ｃ３は、カセット搬送路１３４とメイン搬送路１３１の一部とで構成され、カセット一保部１８０から延びて入金部１１０と識別部１４０との間の位置において第１収納経路部Ｃ１に合流する。
【００６５】
ここで、第１収納経路部Ｃ１から外れ第２収納経路部Ｃ２を通ってカセット一保部１８０に搬送された紙幣は、カセット一保部１８０に対し、長手方向（左右方向）における一端部側から収納され、他端部から繰り出される。そして、繰り出された紙幣は、第２収納経路部Ｃ２をカセット一保部１８０へ向かうときとは反対に、他端部側を前にして第３収納経路部Ｃ３を搬送され、第１収納経路部Ｃ１に戻る。このように、第１収納経路部Ｃ１とカセット一保部１８０との間で紙幣が往復することによって、紙幣にはスイッチバック作用が生じ（図７（ａ）の破線参照）、紙幣の表裏の向きが反転する。このため、紙幣は、表向きとなって第１収納経路部Ｃ１に戻り、第１収納経路部Ｃ１を流れて第１スタッカ一保部１６０ａに収納される。こうして、カセット一保部１８０から全ての紙幣が第１スタッカ一保部１６０ａに移されると、第１スタッカ一保部１６０ａには、表裏の向きが揃った整理枚数の紙幣の束が集積されることになる。
【００６６】
カセット一保部１８０からの全ての紙幣が第１スタッカ一保部１６０ａに収納されると（Ｓ１１２：ＹＥＳ）、制御部１３は、第１スタッカ一保部１６０ａから紙幣を一枚ずつ繰り出し（Ｓ１１３）、繰り出した紙幣を、搬送部１３０により出金部１２０へ搬送させる（Ｓ１１４）。図７（ｂ）に示すように、第１スタッカ一保部１６０ａから繰り出された紙幣は、搬送部１３０により投出経路部Ｃ４を通じて出金部１２０へ搬送され、出金部１２０に投出される。投出経路部Ｃ４は、スタッカ搬送路１３３と、メイン搬送路１３１の一部と、出金搬送路１３５と構成され、第１スタッカ一保部１６０ａおよび第２スタッカ一保部１６０ｂと出金部１２０との間を結ぶ。
【００６７】
こうして、出金部１２０には、表裏の向きが揃った整理枚数の紙幣の束が払い出される。
【００６８】
なお、出金部１２０内にリジェクト紙幣が存在する場合は、第１スタッカ一保部１６０ａから紙幣が繰り出される前に、リジェクト紙幣の取り出しを催促する報知、たとえば、操作表示部１５による催促表示が行われる。そして、紙幣検出部１２２によりリジェクト紙幣の取出しが確認された後に、第１スタッカ一保部１６０ａからの紙幣の繰り出しが開始される。この点は、後に説明する表裏天地揃え計数整理処理においても同様である。
【００６９】
第１スタッカ一保部１６０ａからの紙幣が全て出金部１２０に投出されると（Ｓ１１５：ＹＥＳ）、制御部１３は、出金部１２０からの紙幣の抜き取りを促す報知として、操作表示部１５に抜き取り催促画面Ｓ１を表示させる（Ｓ１１６）。図８に示すように、抜き取り催促画面Ｓ１は、紙幣の抜き取りを促すメッセージが含まれる。報知を受けたテラーは、出金部１２０から紙幣の束を抜き取る。なお、制御部１３は、スピーカ（図示せず）から紙幣の抜き取りを促すための音声やアラームを出力させてもよい。
【００７０】
出金部１２０から紙幣が抜き取られると（Ｓ１１７：ＹＥＳ）、制御部１３は、入金部１１０に紙幣が残っているか否かを判定する（Ｓ１１８）。入金部１１０に紙幣が残っていれば（Ｓ１１８：ＮＯ）、Ｓ１０１の処理に戻り、制御部１３は、Ｓ１０１からＳ１１７処理を繰り返す。これにより、更なる、表裏の向きが揃った整理枚数の紙幣の束が出金部１２０に投出される。一方、入金部１１０に紙幣が残っていなければ（Ｓ１１８：ＹＥＳ）、制御部１３は、表裏揃え計数整理処理を終了する。
【００７１】
なお、上記の例では、識別部１４０により表向きと識別された紙幣が第１スタッカ一保部１６０ａに収納され、識別部１４０により裏向きと識別された紙幣がカセット一保部１８０に収納された。しかしながら、これとは反対に、識別部１４０により裏向きと識別された紙幣が第１スタッカ一保部１６０ａに収納され、識別部１４０により表向きと識別された紙幣がカセット一保部１８０に収納されてもよい。
【００７２】
次に、表裏天地揃え計数整理処理について、図９ないし図１４を参照して説明する。図９および図１０は、本実施形態に係る、表裏天地揃え計数整理処理の制御動作を示すフローチャートである。図１１（ａ）は、本実施形態に係る、入金部１１０から繰り出され、天表向きと識別された紙幣の流れを示す図であり、図１１（ｂ）は、本実施形態に係る、入金部１１０から繰り出され、地表向きと識別された紙幣の流れを示す図である。図１２は、本実施形態に係る、入金部１１０から繰り出され、天裏向きまたは地裏向きと識別された紙幣の流れを示す図である。図１３（ａ）は、本実施形態に係る、カセット一保部１８０から繰り出され、天表向きと識別された紙幣の流れを示す図であり、図１３（ｂ）は、本実施形態に係る、カセット一保部１８０から繰り出され、地表向きと識別された紙幣の流れを示す図である。図１４（ａ）は、本実施形態に係る、第１スタッカ一保部１６０ａから出金部１２０への紙幣の流れを示す図であり、図１４（ｂ）は、本実施形態に係る、第２スタッカ一保部１６０ｂから出金部１２０への紙幣の流れを示す図である。
【００７３】
係員（テラー）により、整理する紙幣が入金部１１０に投入された後、表裏天地揃え計数整理処理のための操作が行われると、表裏天地揃え計数整理処理が開始される。
【００７４】
図９および図１０を参照して、制御部１３は、入金部１１０から一枚ずつ紙幣を繰り出させて搬送部１３０に搬送させ（Ｓ２０１）、搬送部１３０を流れる紙幣の属性（金種、表裏の向き、天地の向き等）を識別部１４０により識別する（Ｓ２０２）。制御部１３は、紙幣の属性を識別すると、カウンタのカウント値を１つアップする（Ｓ２０３）。
【００７５】
次に、制御部１３は、識別部１４０での識別結果に基づいて、紙幣の向きが、天表向き、地表向き、天裏向きまたは地裏向きの何れであるかを判定する（Ｓ２０４）。図２（ａ）のように、紙幣の向きが天表向きである場合（Ｓ２０４：天表向き）、制御部１３は、搬送部１３０により、その紙幣を第１スタッカ一保部１６０ａへ搬送させる（Ｓ２０５）。また、図２（ｂ）のように、紙幣の向きが地表向きである場合（Ｓ２０４：地表向き）、制御部１３は、搬送部１３０により、その紙幣を第２スタッカ一保部１６０ｂへ搬送させる（Ｓ２０６）。さらに、図２（ｃ）または（ｄ）のように、紙幣の向きが天裏向きまたは地裏向きである場合（Ｓ２０４：天裏向き、地裏向き）、制御部１３は、搬送部１３０により、その紙幣をカセット一保部１８０へ搬送させる（Ｓ２０７）。
【００７６】
制御部１３は、スタッカ一保部１６０およびカセット一保部１８０に収納した合計の紙幣の枚数が整理枚数に達したか否か、および、入金部１１０から全ての紙幣が繰り出されたか否かを判定する（Ｓ２０８、Ｓ２０９）。紙幣の枚数が整理枚数に達すると（Ｓ２０８：ＹＥＳ）、制御部１３は、入金部１１０からの紙幣の繰り出しを停止する（Ｓ２１０）。
【００７７】
こうして、入金部１１０から繰り出された整理枚数分の紙幣のうち、識別部１４０で天表向きと識別された紙幣は、図１１（ａ）に示すように、搬送部１３０により第１収納経路部Ｃ１を通じて第１スタッカ一保部１６０ａへ搬送され、第１スタッカ一保部１６０ａに収納される。また、識別部１４０で地表向きと識別された紙幣は、図１１（ｂ）に示すように、搬送部１３０により第１収納経路部Ｃ１を通じて第２スタッカ一保部１６０ｂへ搬送され、第２スタッカ一保部１６０ｂに収納される。
【００７８】
一方、入金部１１０から繰り出された整理枚数分の紙幣のうち、識別部１４０で天裏向きまたは地裏向きと識別された紙幣は、図１２に示すように、搬送部１３０により第１収納経路部Ｃ１および第２収納経路部Ｃ２を通じてカセット一保部１８０へ搬送され、カセット一保部１８０に収納される。
【００７９】
入金部１１０からの紙幣の繰り出しを停止すると（Ｓ２１０）、あるいは、入金部１１０から全ての紙幣が繰り出されると（Ｓ２０９：ＹＥＳ）、制御部１３は、カセット一保部１８０内の紙幣を一枚ずつ繰り出す（Ｓ２１１）。
【００８０】
図１３（ａ）および（ｂ）に示すように、カセット一保部１８０から繰り出された紙幣は、第３収納経路部Ｃ３を搬送されて第１収納経路部Ｃ１に戻る。上述の通り、第１収納経路部Ｃ１とカセット一保部１８０との間での往復により、紙幣はスイッチバック作用を受けてその表裏が反転するため、第１収納経路部Ｃ１に戻った紙幣は、その向きが天表向きまたは地表向きとなる。
【００８１】
制御部１３は、第１収納経路部Ｃ１に戻った紙幣の向きを識別部１４０に識別させ、紙幣の向きが、天表向きおよび地表向きの何れであるかを判定する（Ｓ２１２）。紙幣の向きが天表向きである場合（Ｓ２１２：天表向き）、制御部１３は、その紙幣を搬送部１３０により第１スタッカ一保部１６０ａへ搬送させる（Ｓ２１３）。一方、紙幣の向きが地表向きである場合（Ｓ２１２：地表向き）、制御部１３は、その紙幣を搬送部１３０により第２スタッカ一保部１６０ｂへ搬送させる（Ｓ２１４）。
【００８２】
こうして、図１３（ａ）に示すように、天表向きと識別された紙幣は、第１収納経路部Ｃ１を通じて第１スタッカ一保部１６０ａへ搬送され、第１スタッカ一保部１６０ａに収納される。一方、図１３（ｂ）に示すように、地表向きと識別された紙幣は、第１収納経路部Ｃ１を通じて第２スタッカ一保部１６０ｂへ搬送され、第２スタッカ一保部１６０ｂに収納される。カセット一保部１８０から全ての紙幣が第１スタッカ一保部１６０ａおよび第２スタッカ一保部１６０ｂに移されると、第１スタッカ一保部１６０ａおよび第２スタッカ一保部１６０ｂには、表裏および天地の向きが揃った紙幣の束が集積されることになる。
【００８３】
カセット一保部１８０からの全ての紙幣が第１スタッカ一保部１６０ａおよび第２スタッカ一保部１６０ｂに収納されると（Ｓ２１５：ＹＥＳ）、制御部１３は、第１スタッカ一保部１６０ａから紙幣を一枚ずつ繰り出し（Ｓ２１６）、繰り出した紙幣を、搬送部１３０により出金部１２０へ搬送させる（Ｓ２１７）。図１４（ａ）に示すように、第１スタッカ一保部１６０ａから繰り出された紙幣は、搬送部１３０により投出経路部Ｃ４を通じて出金部１２０へ搬送され、出金部１２０に投出される。出金部１２０には、表裏および天地の向きが揃った紙幣の束が払い出される。
【００８４】
第１スタッカ一保部１６０ａからの紙幣が全て出金部１２０に投出されると（Ｓ２１８：ＹＥＳ）、制御部１３は、出金部１２０からの紙幣の抜き取りを促す報知として、操作表示部１５に抜き取り催促画面Ｓ１（図８参照）を表示させる（Ｓ２１９）。報知を受けたテラーは、出金部１２０から紙幣の束を抜き取り、一時的に保管する。なお、制御部１３は、スピーカ（図示せず）から紙幣の抜き取りを促すための音声やアラームを出力させてもよい。
【００８５】
出金部１２０から紙幣が抜き取られると（Ｓ２２０：ＹＥＳ）、制御部１３は、第２スタッカ一保部１６０ｂから紙幣を一枚ずつ繰り出し（Ｓ２２１）、繰り出した紙幣を、搬送部１３０により出金部１２０へ搬送させる（Ｓ２２２）。図１４（ｂ）に示すように、第２スタッカ一保部１６０ｂから繰り出された紙幣は、搬送部１３０により投出経路部Ｃ４を通じて出金部１２０へ搬送され、出金部１２０に投出される。出金部１２０には、表裏および天地の向きが揃った紙幣の束が払い出される。
【００８６】
第２スタッカ一保部１６０ｂからの紙幣が全て出金部１２０に投出されると（Ｓ２２３：ＹＥＳ）、制御部１３は、紙幣の抜き取りを促すため、操作表示部１５に抜き取り催促画面Ｓ１を表示させる（Ｓ２２４）。報知を受けたテラーは、出金部１２０から紙幣の束を抜き取る。抜き取られた紙幣は、先に受け取った紙幣とは、表裏の向きが等しいが天地の向きが異なる紙幣となる。よって、テラーは、抜き取った紙幣の天地の向きを反転させて、その向きを先に受け取った紙幣の束の向きと同じにし、先に受け取った紙幣の束と重ね合せる。これにより、表裏および天地の向きが揃った整理枚数の紙幣の束が出来上がる。
【００８７】
出金部１２０から紙幣が抜き取られると（Ｓ２２５：ＹＥＳ）、制御部１３は、入金部１１０に紙幣が残っているか否かを判定する（Ｓ２２６）。入金部１１０に紙幣が残っていれば（Ｓ２２６：ＮＯ）、Ｓ２０１の処理に戻り、制御部１３は、Ｓ２０１からＳ２２５の処理を繰り返す。これにより、テラーは、更なる、表裏および天地の向きが揃った整理枚数の紙幣の束を、容易に得ることができる。一方、入金部１１０に紙幣が残っていなければ（Ｓ２２６：ＹＥＳ）、制御部１３は、表裏天地揃え計数整理処理を終了する。
【００８８】
なお、上記の例と異なり、識別部１４０により地表向きと識別された紙幣が第１スタッカ一保部１６０ａに収納され、識別部１４０により天表向きと識別された紙幣が第２スタッカ一保部１６０ｂに収納されてもよい。
【００８９】
また、識別部１４０により天裏向きと識別された紙幣が第１スタッカ一保部１６０ａまたは第２スタッカ一保部１６０ｂに収納され、識別部１４０により地裏向きと識別された紙幣が第２スタッカ一保部１６０ｂまたは第１スタッカ一保部１６０ａに収納されてもよい。この場合、識別部１４０により天表向きまたは地表向きと識別された紙幣がカセット一保部１８０に収納される。
【００９０】
＜実施形態の効果＞
本実施形態によれば、以下の効果が奏され得る。
【００９１】
入金部１１０に投入された紙幣のうち、識別部１４０で表向き（または裏向き）と識別された紙幣を第１スタッカ一保部１６０ａへ搬送し、識別部１４０で裏向き（または表向き）と識別された紙幣を、その表裏の向きを反転させた後に第１スタッカ一保部１６０ａへ搬送することで、表裏の向きが揃った紙幣を第１スタッカ一保部１６０ａに収納できる。しかも、裏向き（または表向き）と識別された紙幣を、第２収納経路部Ｃ２および第３収納経路部Ｃ３を通じて第１収納経路部Ｃ１とカセット一保部１８０との間で往復させ、その際に生じるスイッチバック作用を利用して表裏の向きを反転させるようにしたので、表裏の向き反転させる反転機構等、紙幣の表裏の向きを揃えるための特別な機構を利用せずとも、紙幣の表裏の向きを揃えることができる。これにより、紙幣の表裏の向きを揃えるための特別な機構を搬送部１３０に設けないようにできるので、貨幣入出金機１のサイズ増加やコスト増加を抑えることが可能となる。
【００９２】
また、第１スタッカ一保部１６０ａに収納された紙幣を出金部１２０に搬送するようにしたので、表裏の向きが揃った紙幣の束を出金部１２０に投出させることができる。
【００９３】
さらに、識別部１４０で表向き（または裏向き）と識別された紙幣を、その天地の向きにより第１スタッカ一保部１６０ａと第２スタッカ一保部１６０ｂに振り分けて収納し、識別部１４０で裏向き（または表向き）と識別された紙幣を、上記スイッチバック作用によってその表裏の向きを反転させた後、その天地の向きにより第１スタッカ一保部１６０ａと第２スタッカ一保部１６０ｂに振り分けて収納することで、表裏および天地の向きが揃った紙幣を第１スタッカ一保部１６０ａおよび第２スタッカ一保部１６０ｂに収納できる。
【００９４】
さらに、裏向き（または表向き）と識別された紙幣を、その天地の向きにより振り分けずにカセット一保部１８０に収納し、カセット一保部１８０から繰り出されて第１収納経路部Ｃ１に戻され、表裏の向きが反転した紙幣を、識別部１４０で識別して天地の向きにより第１スタッカ一保部１６０ａと第２スタッカ一保部１６０ｂとに振り分けるようにしたので、表裏の向きの反転に利用するために必要な収納部がカセット一保部１８０１つで済む。
【００９５】
さらに、第１スタッカ一保部１６０ａに収納された紙幣および第２スタッカ一保部１６０ｂに収納された紙幣を、出金部１２０に投出させるようにしたので、係員は、第１スタッカ一保部１６０ａからの紙幣の束と、第２スタッカ一保部１６０ｂからの紙幣の束とを、その表裏および天地の向きが同じになるように重ね合せるだけで、容易に表裏および天地の向きが揃った紙幣の束を得ることができる。
【００９６】
さらに、第１スタッカ一保部１６０ａから出金部１２０への紙幣の投出が完了すると、操作表示部１５により出金部１２０からの紙幣の抜き取りを促す報知が行われるので、係員は、第１スタッカ一保部１６０ａからの紙幣を、円滑に出金部１２０から抜き取ることができる。
【００９７】
さらに、第１スタッカ一保部１６０ａからの紙幣が出金部１２０から無くなったことが紙幣検出部１２２により検出された後に、第２スタッカ一保部１６０ｂからの紙幣の出金部１２０への投出が開始されるので、第１スタッカ一保部１６０ａからの紙幣が出金部１２０に残った状態で第２スタッカ一保部１６０ｂからの紙幣が出金部１２０へ投出されてしまうことが防止される。
【００９８】
以上、本発明の実施形態について説明したが、本発明は、上記実施形態によって何ら制限されるものではなく、また、本発明の実施形態も、上記以外に種々の変更が可能である。
【００９９】
＜変更例１＞
図１５は、変更例１に係る、貨幣入出金機１の構成を示す概略図である。
【０１００】
本変更例の貨幣入出金機１は、２つのカセット１７０およびカセット用一時保留部１８０を備える。カセット搬送路１３４は、メイン搬送路１３１と２つのカセット一保部１８０との間を結ぶ。２つのカセット１７０およびカセット用一時保留部１８０は、上下方向に並ぶように配置される。上側のカセット１７０およびカセット用一時保留部１８０が、第１カセット１７０ａおよび第１カセット用一時保留部（以下、「第１カセット一保部」と略す）１８０ａとなり、下側のカセット１７０およびカセット用一時保留部１８０が、第２カセット１７０ｂおよび第２カセット用一時保留部（以下、「第２カセット一保部」と略す）１８０ｂとなる。第１カセット一保部１８０ａおよび第２カセット一保部１８０ｂは、それぞれ、特許請求の範囲に記載の「第２の収納部」および「第４の収納部」に対応する。
【０１０１】
図１６および図１７は、変更例１に係る、表裏天地揃え計数整理処理の制御動作を示すフローチャートである。図１８（ａ）は、変更例１に係る、入金部１１０から繰り出され、天裏向きと識別された紙幣の流れを示す図であり、図１８（ｂ）は、変更例１に係る、入金部１１０から繰り出され、地裏向きと識別された紙幣の流れを示す図である。図１９（ａ）は、変更例１に係る、第１カセット一保部１８０ａから第１スタッカ一保部１６０ａへの紙幣の流れを示す図であり、図１９（ｂ）は、変更例１に係る、第２カセット一保部１８０ｂから第２スタッカ一保部１６０ｂへの紙幣の流れを示す図である。なお、図１７では、上記実施形態の表裏天地揃え計数整理処理から変更となった部分の処理のみが示されている。
【０１０２】
本変更例の貨幣入出金機１における表裏天地揃え計数整理処理について、以下、説明する。本変更例の表裏天地揃え計数整理処理では、主に、識別部１４０で天裏向きと識別された紙幣と地裏向きと識別された紙幣とが、第１カセット一保部１８０ａと第２カセット一保部１８０ｂとに振り分けられて収納される点が、上記実施形態の表裏天地揃え計数整理処理と異なる。
【０１０３】
本変更例では、図１６のように、図９に示す上記実施形態の表裏天地揃え計数整理処理におけるＳ２０７の処理がＳ２３１およびＳ２３２の処理に置き換えられ、図１７のように、図１０に示す上記実施形態の表裏天地揃え計数整理処理におけるＳ２１１ないしＳ２１５の処理がＳ２３３ないしＳ２３８の処理に置き換えられる。
【０１０４】
図１６および図１７を参照し、制御部１３は、紙幣の向きが天裏向である場合（Ｓ２０４：天裏向き）、搬送部１３０により、その紙幣を第１カセット一保部１８０ａへ搬送させ（Ｓ２３１）、紙幣の向きが地裏向である場合（Ｓ２０４：地裏向き）、搬送部１３０により、その紙幣を第２カセット一保部１８０ｂへ搬送させる（Ｓ２３２）。入金部１１０から繰り出された整理枚数分の紙幣のうち、識別部１４０で天裏向きと識別された紙幣は、図１８（ａ）に示すように、搬送部１３０により第１収納経路部Ｃ１および第２収納経路部Ｃ２を通じて第１カセット一保部１８０ａへ搬送され、第１カセット一保部１８０ａに収納される。また、識別部１４０で地裏向きと識別された紙幣は、図１８（ｂ）に示すように、搬送部１３０により第１収納経路部Ｃ１および第２収納経路部Ｃ２を通じて第２カセット一保部１８０ｂへ搬送され、第２カセット一保部１８０ｂに収納される。
【０１０５】
その後、入金部１１０から整理枚数分の紙幣が繰り出されて入金部１１０からの繰り出しが停止されると（Ｓ２０８：ＹＥＳ→Ｓ２１０）、あるいは、入金部１１０から全ての紙幣が繰り出されると（Ｓ２０９：ＹＥＳ）、制御部１３は、第１カセット一保部１８０ａ内の紙幣を一枚ずつ繰り出し（Ｓ２３３）、繰り出した紙幣を、搬送部１３０により第１スタッカ一保部１６０ａへ搬送させる（Ｓ２３４）。図１９（ａ）に示すように、第１カセット一保部１８０ａから繰り出された紙幣は、搬送部１３０により第３収納経路部Ｃ３および第１収納経路部Ｃ１を通じて第１スタッカ一保部１６０ａへ搬送され、第１スタッカ一保部１６０ａに収納される。ここで、第１収納経路部Ｃ１と第１カセット一保部１８０ａとの間で紙幣が往復することで生じるスイッチバック作用により、第１収納経路部Ｃ１へ戻ったとき、紙幣はその表裏が反転する。このため、第１カセット一保部１８０ａからの紙幣は、先に第１スタッカ一保部１６０ａに収納されていた紙幣と、表裏および天地の向きが同じ状態で第１スタッカ一保部１６０ａに収納される。
【０１０６】
第１カセット一保部１８０ａからの全ての紙幣が第１スタッカ一保部１６０ａに収納されると（Ｓ２３５：ＹＥＳ）、制御部１３は、第２カセット一保部１８０ｂ内の紙幣を一枚ずつ繰り出し（Ｓ２３６）、繰り出した紙幣を、搬送部１３０により第２スタッカ一保部１６０ｂへ搬送させる（Ｓ２３７）。図１９（ｂ）に示すように、第２カセット一保部１８０ｂから繰り出された紙幣は、搬送部１３０により第３収納経路部Ｃ３および第１収納経路部Ｃ１を通じて第２スタッカ一保部１６０ｂへ搬送され、第２スタッカ一保部１６０ｂに収納される。ここで、第１収納経路部Ｃ１と第２カセット一保部１８０ｂとの間で紙幣が往復することで生じるスイッチバック作用により、第１収納経路部Ｃ１へ戻ったとき、紙幣はその表裏が反転する。このため、第２カセット一保部１８０ｂからの紙幣は、先に第２スタッカ一保部１６０ｂに収納されていた紙幣と、表裏および天地の向きが同じ状態で第２スタッカ一保部１６０ｂに収納される。
【０１０７】
第２カセット一保部１８０ｂからの全ての紙幣が第２スタッカ一保部１６０ｂに収納されると（Ｓ２３８：ＹＥＳ）、制御部１３は、第２スタッカ一保部１６０ｂから紙幣を一枚ずつ繰り出し（Ｓ２１６）、繰り出した紙幣を、搬送部１３０により出金部１２０へ搬送させる（Ｓ２１７）。以下の動作は、上記実施形態の表裏天地揃え計数整理処理と同様である。
【０１０８】
本変更例の構成によっても、上記実施形態と同様、表裏および天地の向きが揃った紙幣を第１スタッカ一保部１６０ａおよび第２スタッカ一保部１６０ｂに収納できる。
【０１０９】
さらに、本変更例では、裏向き（または表向き）と識別された紙幣を、その天地の向きにより、第１カセット一保部１８０ａと第２カセット一保部１８０ｂとに振り分けるようにしたので、第１カセット一保部１８０ａおよび第２カセット一保部１８０ｂから繰り出された紙幣を第１スタッカ一保部１６０ａおよび第２スタッカ一保部１６０ｂへ搬送する際に、識別部１４０で紙幣の天地の向きを識別しなくてよい。
【０１１０】
なお、上記の例では、識別部１４０により天裏向きと識別された紙幣が第１カセット一保部１８０ａに収納され、識別部１４０により地裏向きと識別された紙幣が第２カセット一保部１８０ｂに収納された。しかしながら、これとは反対に、識別部１４０により地裏向きと識別された紙幣が第１カセット一保部１８０ａに収納され、識別部１４０により天裏向きと識別された紙幣が第２カセット一保部１８０ｂに収納されてもよい。
【０１１１】
＜その他の変更例＞
上記実施の形態において、入金処理の際に、スタッカ１５０に収納される紙幣の表裏の向きが揃えられてもよい。この場合、制御部１３は、識別部１４０により、入金部１１０から繰り出された紙幣の真偽や金種の他、表裏の向きを識別し、表向き（または裏向き）と識別された紙幣を、搬送部１３０により、金種に割り当てられたスタッカ１５０の上方のスタッカ一保部１６０へ搬送させ、裏向き（または表向き）と識別された紙幣を、搬送部１３０により、カセット一保部１８０へ搬送させる。その後、制御部１３は、カセット一保部１８０から紙幣を繰り出し、繰り出された紙幣を、搬送部１３０により、その金種に割り当てられたスタッカ一保部１６０へ搬送させる。なお、繰り出された紙幣の金種は、搬送途中に通過する識別部１４０で識別される。その後、テラーによる承認操作がなされると、スタッカ一保部１６０に収納された紙幣が、その下方のスタッカ１５０に収納される。スタッカ１５０内の紙幣は、その表裏の向きが揃ったものとなる。なお、承認操作が行われる前までの紙幣の流れは、図６（ａ）、図６（ｂ）および図７（ａ）に示すものと同様となる。
【０１１２】
同様に、上記実施の形態において、入金処理の際に、スタッカ１５０に収納される紙幣の表裏および天地の向きが揃えられてもよい。但し、この場合、第１スタッカ１５０ａおよび第２スタッカ１５０ｂには、同じ金種が割り当てられることになるため、貨幣入出金機１は、単一金種の紙幣を取り扱うものとなる。なお、貨幣入出金機１のスタッカ１５０の個数を４つ以上に増加させることにより、２以上の金種の紙幣を取り扱うことが可能となる。
【０１１３】
制御部１３は、識別部１４０により、入金部１１０から繰り出された紙幣の真偽や金種の他、表裏および天地の向きを識別し、天表向き（または地表向き）と識別された紙幣を、搬送部１３０により、第１スタッカ一保部１６０ａへ搬送させ、地表向き（または天表向き）と識別された紙幣を、搬送部１３０により、第２スタッカ一保部１６０ｂへ搬送させる。さらに、制御部１３は、天裏向きまたは地裏向きと識別された紙幣を、搬送部１３０により、カセット一保部１８０へ搬送させる。その後、制御部１３は、カセット一保部１８０から紙幣を繰り出し、繰り出された紙幣を、搬送部１３０により、その紙幣の天地の向きに応じて、第１スタッカ一保部１６０ａまたは第２スタッカ一保部１６０ｂへ搬送させる。その後、テラーによる承認操作がなされると、第１スタッカ一保部１６０ａに収納された紙幣が、その下方の第１スタッカ１５０ａに収納され、第２スタッカ一保部１６０ｂに収納された紙幣が、その下方の第２スタッカ１５０ｂに収納される。第１スタッカ１５０ａ内および第２スタッカ１５０ｂ内の紙幣は、その表裏および天地の向きが揃ったものとなる。なお、承認操作が行われる前までの紙幣の流れは、図１１（ａ）、図１１（ｂ）、図１２、図１３（ａ）および図１３（ｂ）に示すものと同様となる。
【０１１４】
さらに、上記実施形態および上記変更例１では、第２収納経路部Ｃ２と第３収納経路部Ｃ３が異なる経路とされた。しかしながら、第２収納経路部Ｃ２と第３収納経路部Ｃ３とは必ずしも異なる経路とされずともよく、たとえば、上記変更例１のように、第１収納経路部Ｃ１に戻った紙幣の向きを識別部１４０で識別しなくてよいというような場合、第２収納経路部Ｃ２と第３収納経路部Ｃ３とを、同じ経路とすることもできる。
【０１１５】
さらに、上記実施形態では、制御部１３は、紙幣検出部１２２から紙幣がないとの検出結果が出力されると、紙幣が抜き取られたと判定することとしたが、このような態様に限られない。すなわち、紙幣の搬送を指示するための操作ボタンが押下されることにより、制御部１３は、紙幣が抜き取られたと判定することとしてもよい。たとえば、図２０に示すように、操作表示部１５に表示された抜き取り催促画面Ｓ１に紙幣の搬送を指示するための操作ボタンＢ１が含められてもよい。この場合、操作ボタンＢ１は、特許請求の範囲の「搬送指示部」に対応する。また、操作表示部１５の画面上ではなく、その他の部位、たとえば、筐体１０の出金口１２０ａの近傍部分に操作ボタンが設けられてもよい。
【０１１６】
さらに、上記実施形態では、貨幣入出金機１が表裏揃え計数整理処理および表裏天地計数整理処理の双方の計数整理処理を実行することができるが、貨幣入出金機１が何れか一方の計数整理処理を実行するものであってもよい。
【０１１７】
さらに、上記実施形態において、搬送部１３０は、搬送される紙幣が、その短手方向（天地方向）が搬送方向を向くようにして搬送されるような構成とされてもよい。
【０１１８】
さらに、上記実施形態の貨幣入出金機１は、硬貨入出金ユニット１２が設けられず、紙幣のみが処理されるものであってもよい。
【０１１９】
この他、本発明の実施形態は、特許請求の範囲に記載の範囲で適宜変更可能である。
【符号の説明】
【０１２０】
１  貨幣入出金機（紙幣処理装置）
１３  制御部
１５  操作表示部（報知部）
１１０  入金部
１２０  出金部
１２２  紙幣検出部
１３０  搬送部
１４０  識別部
１６０  スタッカ用一時保留部
１６０ａ  第１スタッカ用一時保留部（第１の収納部）
１６０ｂ  第２スタッカ用一時保留部（第３の収納部）
１８０  カセット用一時保留部（第２の収納部）
１８０ａ  第１カセット用一時保留部（第２の収納部）
１８０ｂ  第２カセット用一時保留部（第４の収納部）
Ｃ１  第１収納経路部（第１の経路部）
Ｃ２  第２収納経路部（第２の経路部）
Ｃ３  第３収納経路部（第３の経路部）
Ｂ１  操作ボタン（搬送指示部）
【図１】
2018206192.tif 000003
【図２】
2018206192.tif 000004
【図３】
2018206192.tif 000005
【図４】
2018206192.tif 000006
【図５】
2018206192.tif 000007
【図６】
2018206192.tif 000008
【図７】
2018206192.tif 000009
【図８】
2018206192.tif 000010
【図９】
2018206192.tif 000011
【図１０】
2018206192.tif 000012
【図１１】
2018206192.tif 000013
【図１２】
2018206192.tif 000014
【図１３】
2018206192.tif 000015
【図１４】
2018206192.tif 000016
【図１５】
2018206192.tif 000017
【図１６】
2018206192.tif 000018
【図１７】
2018206192.tif 000019
【図１８】
2018206192.tif 000020
【図１９】
2018206192.tif 000021
【図２０】
2018206192.tif 000022